(57)【要約】【課題】本発明の目的は、被検体の呼吸運動の安定化を促進することにある。【解決手段】Ｘ線コンピュータ断層撮影装置は、Ｘ線管とＸ線検出器とを有するガントリ２１００と、Ｘ線検出器の出力に基づいて断層像データを発生する断層像発生部２１１４と、被検体への指示に関する複数のオーディオファイルと複数の画像ファイルとを複数の検査ステージ各々に対して関連付けて記憶するファイル記憶部２２１２，２２１３と、検査の進捗状況に応じた検査ステージに関連付けられているオーディオファイルと画像ファイルとをに基づいて被検体への指示情報を提供するとともに、関連付けをユーザインストラクションに従って変更する変更部２２０５とを具備する。【選択図】図１６
2014028317.tif 000002
【特許請求の範囲】
【請求項１】
Ｘ線を発生するＸ線管と被検体を透過したＸ線を検出するＸ線検出器とを有するガントリと、
前記Ｘ線検出器の出力に基づいて断層像データを発生する断層像発生部と、
前記被検体への指示に関する、複数の音声ファイルと複数の画像ファイルとを複数の検査ステージ各々に対して関連付けて記憶するファイル記憶部と、
検査の進捗状況に応じた検査ステージに関連付けられている前記音声ファイルと前記画像ファイルとに基づいて前記被検体への指示情報を提供する指示情報提供部と、
を具備することを特徴とするＸ線コンピュータ断層撮影装置。
【請求項２】
前記関連付けを変更するための操作部を更に備えることを特徴とする請求項１記載のＸ線コンピュータ断層撮影装置。
【請求項３】
前記指示情報提供部は、前記検査ステージに応じて前記音声ファイルの再生音量を変更することを特徴とする請求項１又は請求項２記載のＸ線コンピュータ断層撮影装置。
【請求項４】
前記記憶部に記憶された前記音声ファイル及び前記画像ファイルが更新可能であることを特徴とする請求項１乃至請求項３記載のＸ線コンピュータ断層撮影装置。
【請求項５】
前記指示情報提供部は、前記検査ステージとともに、前記被検体の年齢及び／又は性別に従って前記音声ファイルと前記画像ファイルとを選択することを特徴とする請求項１乃至請求項４記載のＸ線コンピュータ断層撮影装置。
【請求項６】
前記音声ファイル及び前記画像ファイルは、前記検査ステージとともに前記被検体の年齢及び／又は性別に対して関連付けられることを特徴とする請求項５記載のＸ線コンピュータ断層撮影装置。
【請求項７】
前記指示情報提供部は、前記画像ファイルを表示するための表示部を有し、前記表示部はガントリに搭載されることを特徴とする請求項１乃至請求項６記載のＸ線コンピュータ断層撮影装置。
【請求項８】
前記記憶部には、前記検査の進捗状況を図形で表現するための複数の図形ファイルが前記検査の進捗状況に関連付けて記憶されることを特徴とする請求項１乃至請求項７記載のＸ線コンピュータ断層撮影装置。
【請求項９】
前記ファイル記憶部は、前記検査ステージに関連付けられた複数の図形ファイルを記憶することを特徴とする請求項１乃至請求項８記載のＸ線コンピュータ断層撮影装置。
【請求項１０】
前記指示情報提供部は、予定される息止め時間に対する息止め開始からの経過時間又は残り時間の割合をバーグラフで表示することを特徴とする請求項１乃至請求項９記載のＸ線コンピュータ断層撮影装置。
【請求項１１】
前記ファイル記憶部に記憶された前記複数の画像ファイルには、前記検査とは無関係の映像ファイルが含まれることを特徴とする請求項１乃至請求項１０記載のＸ線コンピュータ断層撮影装置。
【請求項１２】
被検体を撮影して画像データを発生する画像発生部と、
前記被検体への指示に関する、複数の音声ファイルと複数の画像ファイルとを複数の検査ステージ各々に対して関連付けて記憶するファイル記憶部と、
検査の進捗状況に応じた検査ステージに関連付けられている前記音声ファイルと前記画像ファイルとに基づいて前記被検体への指示情報を提供する指示情報提供部と、
を具備することを特徴とする医用画像撮影装置。
【発明の詳細な説明】
【技術分野】
【０００１】
本発明は、被検体を撮影して医用画像を発生するＸ線コンピュータ断層撮影装置に関する。
【背景技術】
【０００２】
安定した呼吸は、アーチファクトを低減して画質を向上するには必須である。従来、呼吸運動の安定化は、操作者が操作室からマイクロホンを通して被検体に音声指示により図っていた。しかし、音声指示では、呼吸運動を安定させるには難しく、また被検体の安定呼吸を把握していない操作者からの不適当な指示により逆に不安定化させてしまう事態も生じていた。特許文献１が参照される。
【０００３】
また、Ｘ線コンピュータ断層撮影装置においては、心電同期スキャンや心電同期再構成法等の被検体の心電波形を要する撮影法や再構成法が従来から用いられている。しかし、従来のＸ線コンピュータ断層撮影装置では、心電図の取り込み状態を確認することができず、良好に心電同期されていないことがある。また、心電同期撮影や心電同期再構成ではなくても、心拍が安定している時期にスキャニングを行うことがアーチファクト軽減の観点から好ましいが、それを確認することはできず、操作者が自己の経験から心拍数を見て安定期を判断してスキャニングを開始していた。特許文献１が参照される。
【０００４】
また、従来、音声で被検体へ検査中の取るべき行動を指示していた。例えば、息を止める指示や動かない指示などを装置の自動音声再生装置や操作者のマイクロホンからの肉声で行っていた。被検体は全ての情報を音声に依存しており、音声に依らなければ息止めの残り時間や検査の残り時間等の情報を知ることができず、被検体が不安を抱く状況の発生が予測される。また、撮影に際しても、被検体はできるだけ安静を保ちリラックスして心拍や呼吸を安定させることが体動アーチファクト低減のためにも望ましいが、従来装置にはそのようなリラックスを促すような術がなかった。以下特許文献１が参照される。
【特許文献１】特開２００３−２６５４６４号公報
【発明の開示】
【発明が解決しようとする課題】
【０００５】
本発明の目的は、被検体の呼吸運動の安定化を促進することにある。  
【課題を解決するための手段】
【０００６】
本発明はある局面において、Ｘ線を発生するＸ線管と被検体を透過したＸ線を検出するＸ線検出器とを有するガントリと、前記Ｘ線検出器の出力に基づいて断層像データを発生する断層像発生部と、前記被検体への指示に関する、複数のオーディオファイルと複数の画像ファイルとを複数の検査ステージ各々に対して関連付けて記憶するファイル記憶部と、検査の進捗状況に応じた検査ステージに関連付けられている前記オーディオファイルと前記画像ファイルとをに基づいて前記被検体への指示情報を提供する指示情報提供部と、前記関連付けをユーザインストラクションに従って変更する変更部とを具備することを特徴とするＸ線コンピュータ断層撮影装置を提供する。  
【発明の効果】
【０００７】
本発明のある局面によれば、被検体の呼吸運動の安定化を促進することができる。
【発明を実施するための最良の形態】
【０００８】
（第１実施例）  
以下、図面を参照して本発明によるＸ線コンピュータ断層撮影装置の実施例を説明する。なお、本発明は、Ｘ線コンピュータ断層撮影装置に限定されず、Ｘ線診断装置、磁気共鳴映像装置（ＭＲＩ）、超音波診断装置、ガンマカメラ等の被検体に関する画像を発生する他の医用画像撮影装置に適用できる。また、本発明は、呼吸指示機能に特化した呼吸指示装置としても適用され得る。ここでは、Ｘ線コンピュータ断層撮影装置を例に説明する。なお、Ｘ線コンピュータ断層撮影装置には、Ｘ線管と放射線検出器とが１体として被検体の周囲を回転する回転／回転（ROTATE/ROTATE）タイプと、リング状に多数の検出素子がアレイされ、Ｘ線管のみが被検体の周囲を回転する固定／回転（STATIONARY/ROTATE）タイプ等様々なタイプがあり、いずれのタイプでも本発明を適用可能である。ここでは、現在、主流を占めている回転／回転タイプとして説明する。また、１スライスの断層像データを再構成するには、被検体の周囲１周、約３６０°分の投影データが、またハーフスキャン法でも１８０°＋ビュー角分の投影データが必要とされる。いずれの再構成方式にも本発明を適用可能である。また、入射Ｘ線を電荷に変換するメカニズムは、シンチレータ等の蛍光体でＸ線を光に変換し更にその光をフォトダイオード等の光電変換素子で電荷に変換する間接変換形と、Ｘ線による半導体内の電子正孔対の生成及びその電極への移動すなわち光導電現象を利用した直接変換形とが主流である。Ｘ線検出素子としては、それらのいずれの方式を採用してもよいが、ここでは、前者の間接変換形として説明する。また、近年では、Ｘ線管とＸ線検出器との複数のペアを回転リングに搭載したいわゆる多管球型のＸ線ＣＴ装置の製品化が進み、その周辺技術の開発が進んでいる。本発明では、従来からの一管球型のＸ線ＣＴ装置であっても、多管球型のＸ線ＣＴ装置であってもいずれにも適用可能である。ここでは、一管球型として説明する。
【０００９】
図１に、本実施例に係るＸ線コンピュータ断層撮影装置の主要部の構成を示している。本実施例のＸ線コンピュータ断層撮影装置は、ガントリ１００を有する。ガントリ１００は、円環状の回転フレーム１０２を有する。回転フレーム１０２は、回転駆動部１０７により駆動され回転軸ＲＡを中心に回転する。この回転フレーム１０２には、Ｘ線管１０１とＸ線検出器１０３と搭載されている。Ｘ線管１０１に対してＸ線検出器１０３は回転軸ＲＡを挟んで対応する。Ｘ線管１０１は、高電圧発生装置１０９からスリップリング１０８を経由して管電圧の印加及びフィラメント電流の供給を受け、Ｘ線を発生する。Ｘ線検出器１０３は、被検体を透過したＸ線を検出し、入射Ｘ線の線量を反映した電気信号を出力する。Ｘ線検出器１０３から出力される信号（純生データと呼ばれる）は、データ収集回路１０４、非接触データ伝送装置１０５を経由して前処理装置１０６に供給される。前処理装置１０６で、感度補正、対数変換等の処理を受けたデータ（投影データ又は生データと呼ばれる）は、データ記憶装置１１２に記憶される。
【００１０】
ガントリ１００又はその近傍には呼吸検出器２０３とマイクロホン２０４が設けられる。呼吸検出器２０３は、被検体の呼吸運動を検出し、呼吸指標値に関するデータ又はそれに相当するデータ（以下単に呼吸データという）を出力する。呼吸データは、データ記憶装置１１２に記憶される。呼吸検出方法としては呼吸流速や流量を計測するもの等各種用いられているが、ここでは、被検体への心理的負担の小さい簡易な方法として呼吸運動によって周期的に変化する被検体の胸部の厚さを採用するものとする。マイクロホン２０４は、ここでは主に被検体自身の呼吸音を検出するために設けられる。この呼吸音は録音され、規則的呼吸波形の表示とともに呼吸ガイドとしてスピーカ部２０２を介して再生される。
【００１１】
ガントリマウントディスプレイ２０１は、ガントリ１００又はその近傍に配置される。具体的には、図２に示すように、ガントリ１００のハウジング表面であって、Ｘ線障害物にならず、かつ開口部２０８に挿入された被検体から視認できる場所、典型的には開口部２０８の周囲のすり鉢状に傾斜する部分に、液晶パネル等によるガントリマウントディスプレイ２０１が配置される。図３に示すように、ガントリマウントディスプレイ２０１は、ガントリ１００から自由多関節アーム２２１を介して保持されてもよい。ガントリスピーカ部２０２は、ガントリ１００又はその近傍に配置され、具体的にはガントリ１００のハウジング表面であって、Ｘ線障害物にならず、かつ開口部２０３に挿入された被検体から聴覚しやすい場所、典型的には開口部２０３の周囲のすり鉢状に傾斜する部分に配置される。
【００１２】
スキャンコントローラ１１０は、データ収集（スキャン）のために、回転駆動部１０７、高電圧発生装置１０９等の各動作を制御する。再構成装置１１４は、データ記憶装置１１２に記憶された投影データに基づいて断層像データを再構成する。表示装置１１６は、主に断層像データを表示するために設けられる。操作デバイス１１５は、操作者の指示を入力するためにキーボード、マウス等から構成される。
【００１３】
ディスプレイ／スピーカ制御部２０５は、規則的呼吸波形発生部２０７で発生された規則的呼吸波形のガントリマウントディスプレイ２０１への表示、及び記憶的呼吸音発生部２０８で発生された規則的呼吸波形に対応する規則的呼吸音のガントリスピーカ部２０２からの再生出力を制御する。本実施例では、規則的呼吸波形を発生して、それを被検体に提示するとともに、その規則的呼吸波形に対応する呼吸音（規則的呼吸音）を再生することで、被検体の呼吸運動の安定化を促進することに特徴がある。
【００１４】
図４には、呼吸検出器２０３で検出された呼吸波形に一例を示している。呼吸指標値としての胸部の厚さは、吸気期間で急速に増加し、吸気期間終端で最大となり、呼気期間で緩やかに低下していき、呼気期間終端で最小となる。ここでは、同定容易な吸気期間終端から次の吸気期間終端までの期間を一単位期間として呼吸期と称し、その時間幅を呼吸周期と定義する。また、一の呼吸期内の部分的な波形を呼吸波形の最小単位として波形要素と定義する。また、吸気期間終端を起点としてそこから予め決定されている固定時間を経過するまでの期間を、本実施例では、呼吸運動が安定しているか否かを判定するための窓期間として定義する。この窓期間に含まれる呼吸波形の部分を、波形部分と称するものとする。また、呼吸運動による胸部厚の変化、つまり吸気期間終端時の厚さ（最大厚）と、呼気期間終端時の厚さ（最小厚）との差を、呼吸深度と称する。後述するように呼吸深度は呼吸期毎に計算される。
【００１５】
上述したように本実施例では、規則的呼吸波形の提示を特徴の一つとしている。規則的呼吸波形とは、安定的に呼吸を繰り返している時期に被検体自身が発したそれ固有の呼吸波形に由来する呼吸周期及び変動が一定の規則的な呼吸波形であり、本質的には被検体が最も安楽な呼吸運動を行い得る波形といえる。特に被検体自身の呼吸波形から生成することが重要であり、その被検体の個人的な呼吸の癖や仕様を反映させることができ、それによりいわゆる汎用の呼吸波形を単に伸張し又は短縮して提示することに比して、呼吸運動の安定化を促進する効果は格別に向上する。
【００１６】
本実施例では、規則的呼吸波形の作成方法について以下の説明するように３種類提供する。実際的には、規則的呼吸波形発生部２０７においてこれら３種類の作成方法に応じた３種類のプログラムコードを操作者の指示に従って選択的に実行して、いずれか任意の作成方法を適用する。以下、３種類の規則的呼吸波形の作成方法について順番に説明する。なお、規則的呼吸波形の作成前に、被検体の呼吸が呼吸検出器２０３により検出され、例えば数分間の呼吸データがデータ記憶装置１１２に記憶される。またそれと同時期に、被検体の呼吸音がマイクロホン２０４により検出され、その呼吸音データがデータ記憶装置１１２に記憶される。呼吸データと呼吸音データとの間は、典型的にはタイムスタンプにより対応付けられる。
【００１７】
図５には、第１の規則的呼吸波形の作成手順を模式的に示している。規則的呼吸波形発生部２０７には、呼吸検出器２０３で少なくとも１分間の期間に収集した呼吸データがデータ記憶装置１１２から供給される。規則的呼吸波形発生部２０７において、まず、少なくとも１分間の呼吸波形から吸気期間終端が呼吸波形の極大値により特定され、呼吸期間全体が複数の呼吸期に区分される。区分された複数の呼吸期にしたがって呼吸波形が複数の波形要素に分割される。複数の波形要素について個別に呼吸周期と呼吸深度が計算される。計算された呼吸周期から、出現頻度の最も高い呼吸周期が特定される。特定された出現頻度の最も高い呼吸周期に対応する複数の呼吸要素から、最も呼吸深度の高い波形要素が択一的に特定される。特定された波形要素が連結され、規則的呼吸波形が発生される。この規則的呼吸波形は、当然にして、呼吸周期、呼吸深度ともに完全に一定である。また、その波形形状は被検体固有の呼吸の動きである。
【００１８】
発生された規則的呼吸波形に従って、ディスプレイ／スピーカ制御部２０５は、規則的呼吸波形に基づいて呼吸ガイド画面を構成し、ガントリマウントディスプレイ２０１に表示させる。図８に呼吸ガイド画面の一例を示している。なお、この画面には、呼吸ガイド表示領域（Ａ）とともに、被検体に対する指示や検査等に関する各種情報を提供するための表示領域（Ｂ）と、被検体と操作者との両方を対象とした表示領域（Ｃ）とから構成される。表示領域（Ｂ）には、検査やスキャンの進行状況に応じた情報として例えばスキャンの残り時間、検査のタイムスケジュール、スキャンと次のスキャンとの間の休止時間に対する次のスキャンまでの残りの休止時間等の情報が表示される。また、表示領域（Ｃ）には、例えば患者情報、撮影技師情報、病院案内情報、さらに広告情報が表示される。これら領域（Ｂ）、（Ｃ）の画面構築は、制御部２０５又は領域毎の専用化された他の構成要素によりなされる。
【００１９】
呼吸ガイド表示領域（Ａ）において、規則的呼吸波形の絵柄３０１が例えば右側から左側に実時間経過に従って流れていくように表示される。この規則的呼吸波形の絵柄３０１上には、呼吸ガイドマーク３０３が重ねられる。呼吸ガイドマーク３０３の横位置は画面内の特定位置で固定され、縦位置は規則的呼吸波形の絵柄３０１の流れに従って上下に移動する。被検体は規則的呼吸波形の絵柄３０１の流れとともにこの呼吸ガイドマーク３０３の上下移動による案内を受けて呼吸動作を徐々に安定化させていくことができる。
【００２０】
また、ディスプレイ／スピーカ制御部２０５は、規則的呼吸波形の絵柄３０１の流れ及び呼吸ガイドマーク３０３の上下移動に同期して、当該波形要素を検出したときに同時にマイクロホン２０４を介して被検体から録音した呼吸音を再生し、スピーカ部２０２から出力する。この呼吸音は自身の発する呼吸音であり、規則的呼吸波形の絵柄３０１の流れ及び呼吸ガイドマーク３０３の上下移動とともに、呼吸動作の安定化をさらに促進することができる。
【００２１】
図６には、第２の規則的呼吸波形の作成手順を模式的に示している。上述と同様に、規則的呼吸波形発生部２０７には、呼吸検出器２０３で少なくとも１分間の期間に収集した呼吸データがデータ記憶装置１１２から供給される。規則的呼吸波形発生部２０７において、まず、少なくとも１分間の呼吸波形から吸気期間終端が呼吸波形の極大値により特定される。
【００２２】
特定された吸気期間終端各々を起点としてそこから予め決定されている固定時間を経過するまでの区間に窓期間を規定する。窓期間は、操作者により任意調整可能であり、少なくとも３つの呼吸期が含まれるように典型的には５秒ないし１０秒のいずれかの幅に設定される。窓期間ごとに、呼吸周期の変動と、呼吸深度の変動とが計算される。呼吸周期の変動は、窓期間の中に含まれる複数の呼吸期中で、最長呼吸周期と最短呼吸周期との差として計算される。呼吸深度の変動は、窓期間の中に含まれる複数の呼吸期中で、最大呼吸深度と最小呼吸深度との差として計算される。
【００２３】
規則的呼吸波形発生部２０７では、複数の窓期間に対応する複数の波形部分を、呼吸深度がある程度以上深い、つまり呼吸深度が閾値以上を示す複数の波形部分に絞り込み、その中から呼吸周期の変動が最も小さい波形部分を特定する。なお、呼吸周期の変動が最も小さい波形部分が複数存在するときは、呼吸深度がもっとも深い波形部分が選択される。  この特定された波形部分は、呼吸深度が十分深くしかも一定の周期で呼吸を繰り返している最も安定的な呼吸運動を表している。特定された波形部分が連結され、規則的呼吸波形が発生される。図８に示したようにこの規則的呼吸波形に従って、ディスプレイ／スピーカ制御部２０５の制御のもと、呼吸ガイド画面がガントリマウントディスプレイ２０１に表示され、また規則的呼吸波形の絵柄３０１の流れ及び呼吸ガイドマーク３０３の上下移動に同期して、当該波形部分を検出したときに同時にマイクロホン２０４を介して被検体から録音した呼吸音を再生し、スピーカ部２０２から出力する。
【００２４】
図７には、第３の規則的呼吸波形の作成手順を模式的に示している。上述と同様に、規則的呼吸波形発生部２０７には、呼吸検出器２０３で少なくとも１分間の期間に収集した呼吸データがデータ記憶装置１１２から供給される。規則的呼吸波形発生部２０７において、まず、少なくとも１分間の呼吸波形から吸気期間終端が呼吸波形の極大値により特定される。特定された吸気期間終端各々を起点としてそこから予め決定されている固定時間を経過するまでの区間に窓期間を規定する。窓期間は、少なくとも３つの呼吸期が含まれる。窓期間ごとに、呼吸周期の変動と、呼吸深度の変動とが計算される。呼吸周期の変動は、窓期間の中に含まれる複数の呼吸期中で、最長呼吸周期と最短呼吸周期との差として計算される。呼吸深度の変動は、窓期間の中に含まれる複数の呼吸期中で、最大呼吸深度と最小呼吸深度との差として計算される。
【００２５】
規則的呼吸波形発生部２０７では、複数の窓期間に対応する複数の波形部分を、呼吸深度が閾値以上を示す複数の波形部分に絞り込み、その中から呼吸周期の変動が最も小さい所定数、例えば呼吸周期の変動が最も小さいものから上位３つの波形部分を特定する。
【００２６】
この特定された３つの波形部分を平均化して、平均化された単一の波形部分を生成する。平均化とは、３つの波形部分から同じ時相の３つの呼吸指標値を取り出してその平均値を計算することである。つまり平均波形部分は、３つの呼吸指標値の平均に関する時間変化を表している。
【００２７】
なお、３つの波形部分から単一の波形部分を生成する処理方法としては、平均化処理に限定されず、例えば３つの波形部分の各時相の３つの呼吸指標値の中央値から単一の波形部分を生成するようにしてもよいし、３つの呼吸指標値の最大値又は最小値から単一の波形部分を生成するようにしてもよい。
【００２８】
生成された平均波形部分が連結され、規則的呼吸波形が発生される。図８に示したようにこの規則的呼吸波形に従って、ディスプレイ／スピーカ制御部２０５の制御のもと、呼吸ガイド画面がガントリマウントディスプレイ２０１に表示され、また規則的呼吸波形の絵柄３０１の流れ及び呼吸ガイドマーク３０３の上下移動に同期して、当該３つの波形部分のいずれかの波形部分を検出したときに同時にマイクロホン２０４を介して被検体から録音した呼吸音を再生し、スピーカ部２０２から出力する。典型的には、当該３つの波形部分の中から、呼吸周期の変動が最も小さい波形部分と、呼吸周期の変動が最も大きい波形部分を除いて、呼吸周期の変動が中央を示す波形部分を検出したときの呼吸音を再生する。
【００２９】
以上のように、本実施例によると、安定的に呼吸を繰り返している時期に被検体自身が発したそれ固有の呼吸波形を呼吸ガイドとして提示し、またその時夫実際の呼吸音を流すことで、呼吸運動の安定化を促進する効果は格別といえる。
【００３０】
（第２実施例）  
以下、図面を参照して本発明によるＸ線コンピュータ断層撮影装置の実施例を説明する。なお、本発明は、Ｘ線コンピュータ断層撮影装置に限定されず、Ｘ線診断装置、磁気共鳴映像装置（ＭＲＩ）、超音波診断装置、ガンマカメラ等の被検体に関する画像を発生する他の医用画像撮影装置に適用できる。また、本発明は、心電情報表示機能に特化した心電情報表示装置としても適用され得る。ここでは、Ｘ線コンピュータ断層撮影装置を例に説明する。なお、Ｘ線コンピュータ断層撮影装置には、Ｘ線管と放射線検出器とが１体として被検体の周囲を回転する回転／回転タイプと、リング状に多数の検出素子がアレイされ、Ｘ線管のみが被検体の周囲を回転する固定／回転タイプ等様々なタイプがあり、いずれのタイプでも本発明を適用可能である。また、１スライスの断層像データを再構成するには、被検体の周囲１周、約３６０°分の投影データが、またハーフスキャン法でも１８０°＋ビュー角分の投影データが必要とされるが、いずれの再構成方式にも本発明を適用可能である。また、入射Ｘ線を電荷に変換するメカニズムは、シンチレータ等の蛍光体でＸ線を光に変換し更にその光をフォトダイオード等の光電変換素子で電荷に変換する間接変換形と、Ｘ線による半導体内の電子正孔対の生成及びその電極への移動すなわち光導電現象を利用した直接変換形とが主流であるが、Ｘ線検出素子としては、それらのいずれの方式を採用してもよい。また、近年では、Ｘ線管とＸ線検出器との複数のペアを回転リングに搭載したいわゆる多管球型のＸ線ＣＴ装置の製品化が進み、その周辺技術の開発が進んでいる。本発明では、従来からの一管球型のＸ線ＣＴ装置であっても、多管球型のＸ線ＣＴ装置であってもいずれにも適用可能である。ここでは、一管球型として説明する。
【００３１】
図９に、本実施例に係るＸ線コンピュータ断層撮影装置の主要部の構成を示している。本実施例のＸ線コンピュータ断層撮影装置は、ガントリ１１００を有する。ガントリ１１００は、円環状の回転フレーム１１０２を有する。回転フレーム１１０２は、回転駆動部１１０７により駆動され回転軸ＲＡを中心に回転する。この回転フレーム１１０２には、Ｘ線管１１０１とＸ線検出器１１０３と搭載されている。Ｘ線管１１０１に対してＸ線検出器１１０３は回転軸ＲＡを挟んで対応する。Ｘ線管１１０１は、高電圧発生装置１１０９からスリップリング１１０８を経由して管電圧の印加及びフィラメント電流の供給を受け、Ｘ線を発生する。Ｘ線検出器１１０３は、被検体を透過したＸ線を検出し、入射Ｘ線の線量を反映した電気信号を出力する。Ｘ線検出器１１０３から出力される信号は、データ収集回路１１０４、非接触データ伝送装置１１０５を経由して前処理装置１１０６に供給される。データ収集回路１１０４から出力されるデータは、一般的に純生データと呼ばれる。純生データは、前処理装置１１０６で、感度補正、対数変換等の前処理を受ける。前処理を受けた純な名データは、再構成処理直前の段階のあるデータであり、一般的に、投影データ又は生データと呼ばれる。投影データは、データ記憶装置１１１２に記憶される。
【００３２】
ガントリ１１００又はその近傍には心電計１２０３が設けられる。心電計１２０３は、被検体の心臓の拍動を伴う電気現象を検出し、その時間変化としての心電図のデータを発生する。心電図データは、データ記憶装置１１１２とともに後述するＲ波検出部１２０６に供給される。
【００３３】
ガントリマウントディスプレイ１２０１は、ガントリ１１００又はその近傍に配置される。具体的には、図１０に示すように、ガントリ１１００のハウジング表面であって、Ｘ線障害物にならず、かつ開口部１２１０に挿入された被検体及びガントリ１１００の近傍に立つ操作者から視認できる場所として典型的には開口部１２０８の周囲のすり鉢状に傾斜する部分に、液晶パネル等によるガントリマウントディスプレイ１２０１が配置される。図１１に示すように、ガントリマウントディスプレイ１２０１は、ガントリ１１００から自由多関節アーム１２２１を介して保持されてもよい。
【００３４】
スキャンコントローラ１１１０は、データ収集（スキャン）のために、回転駆動部１１０７、高電圧発生装置１１０９等の各動作を制御する。再構成装置１１１４は、データ記憶装置１１１２に記憶された投影データに基づいて断層像データを再構成する。表示装置１１１６は、主に断層像データを表示するために設けられる。操作デバイス１１１５は、操作者の指示を入力するためにキーボード、マウス等の操作部と操作画面を表示するための表示部とから構成される。
【００３５】
ディスプレイ制御部１２０５は、表示レイアウト設計支援部１２０９の支援のもとで操作者により操作デバイス１１１５を介して設計された表示レイアウトに従って、心拍インデックス計算部１２０８で計算された心拍インデックスや心電図等の表示アイテムをレイアウトして、ガントリマウントディスプレイ１２０１に表示するために必要な処理及び制御を行うために設けられる。Ｒ波検出部１２０６は、心電計１２０３から供給された心電図の特徴波として典型的にはＲ波を検出する。心拍周期計算部１２０７は、Ｒ波検出部１２０６で検出されたＲ波の周期、つまり心拍周期を計算する。心拍インデックス計算部１２０８は、心拍周期計算部１２０７で計算された心拍周期に基づいて、被検体の心拍動の状態に関する複数の心拍インデックスを計算する。
【００３６】
心拍インデックス計算部１２０８で計算され得る複数の心拍インデックスは、例示すると、次の通りである。  
・心拍数；１分当たりの心拍の回数であり、１心拍に要する時間（単位は秒）としての心拍周期で６０秒を割り算した値として心拍周期毎に計算される。  
・区間平均心拍数；一定の区間として例えば１０秒の間においてＲ波検出（心拍周期計算）ごとに繰り返し計算された複数の心拍数の平均値として計算される。  
・心拍数差；区間平均心拍数に対する心拍数の変動を表す値として、区間平均心拍数から心拍数を引き算した値で計算される。  
・自由計算式により計算された値；心拍数、心拍周期、区間平均心拍数、心拍数差等を変数として任意に設定した計算式により計算される。
【００３７】
表示レイアウト設計支援部１２０９は、操作者が、表示可能な複数の表示アイテムの中から実際に表示する少なくとも一つの表示アイテムを指定し、また指定した表示アイテムを表示領域にどのように配置するかという表示レイアウトを設計する操作を支援するための画面及びその関連処理を行うために設けられる。表示アイテムには、上記心拍インデックス計算部１２０８で計算される心拍数、区間平均心拍数、心拍数差、自由計算値の他に、心電計１２０３で発生された心電図の波形、心拍数の履歴、心拍数差の履歴がある。心拍数の履歴とは例えば最新の１０心拍分の心拍数をそのまま数値表記で時系列に並記したものである。また、心拍数差の履歴とは例えば最新の１０心拍分の心拍数差をそのまま数値表記で時系列に並記したものである。
【００３８】
図１２には、ディスプレイ制御部１２０５の制御のもとでガントリマウントディスプレイ１２０１に表示される表示画面例を示している。図１２の例では、表示アイテムとして、心拍数、心拍数差、心電図波形が心電情報表示領域（Ａ）にレイアウトされている。なお、この画面には、心電情報表示領域（Ａ）とともに、被検体に対する指示や検査等に関する各種情報を提供するための表示領域（Ｂ）と、被検体と操作者との両方を対象とした表示領域（Ｃ）とから構成される。表示領域（Ｂ）には、検査やスキャンの進行状況に応じた情報として例えばスキャンの残り時間、検査のタイムスケジュール、スキャンと次のスキャンとの間の休止時間に対する次のスキャンまでの残りの休止時間等の情報が表示される。また、表示領域（Ｃ）には、例えば患者情報、撮影技師情報、病院案内情報、さらに広告情報が表示される。これら領域（Ｂ）、（Ｃ）の画面構築は、ディスプレイ制御部２０５又は領域毎の専用化された他の構成要素によりなされる。
【００３９】
心電情報を表示するための実際の動作としては、心電計１２０３により被検体に関する心電図がライブで刻々と検出され、そのライブで検出された心電図に基づいて、Ｒ波検出部１２０６によるＲ波検出処理及び心拍周期計算部１２０７による心拍周期計算処理が次々と即時的に実行され、それとともに心拍インデックス計算部１２０８により複数の心拍インデックスが次々と即時的に計算され、そしてガントリマウントディスプレイ１２０１への表示に直ちに反映される。つまり、ガントリマウントディスプレイ１２０１に表示される心電図はむろんのこと、心電インデックスについても被検体の現時点の心拍動の状態を反映している。それにより操作者は心電計それ自体の動作状態や被検体に関する現在の心拍動の状態を把握することができ、しかもその動きが安定しているか否かを心電インデックスから客観的に判断することができる。このような心電情報の即時的な表示を、スキャン（データ収集）の前段階から開始し、操作者は心電情報を観察して、ある程度、心拍が安定的になった段階で、スキャントリガボタンを押して、実際にＸ線の発生を伴ってスキャンを開始させることができる。
【００４０】
図１３には、表示レイアウト設計支援部１２０９により提供される簡易な表示アイテムの指定画面である。当該画面は、操作デバイス１１１５を介して特定の操作をすることで、表示レイアウト設計支援機能が起動し、それにより操作デバイス１１１５の表示部に表示される。当該画面には、上述した複数の表示アイテムの名称１３０１がチェックボックス１３０２とともに一覧で表示される。操作者は、表示を所望する一又は複数の表示アイテムをチェックし、「ＯＫ」ボタンをクリックすることで、チェックされた表示アイテムがディスプレイ制御部１２０５により各表示アイテムに対して既定の位置に従ってレイアウトされ、ガントリマウントディスプレイ１２０１に表示される。「クリア」ボタン１３０４をクリックすることにより、全てのチェックが解除される。「詳細」ボタン１３０３がクリックされると、表示レイアウト設計支援部１２０９によって図１４に示す詳細な表示レイアウトの設計画面が操作デバイス１１１５の表示部に表示される。
【００４１】
図１４に示す詳細な表示レイアウトの設計画面には、ガントリマウントディスプレイ１２０１の表示領域（Ａ）に対応する仮想表示領域１４０１が設けられる。仮想表示領域１４０１の下部には表示アイテムを表すボックス１４０２〜１４０８が表示される。ボックス１４０２〜１４０８の仮想表示領域１４０１に対するサイズ比は、ガントリマウントディスプレイ１２０１の表示領域（Ａ）に対する各表示アイテムの表示範囲の比が再現されている。操作者は、図１５に示すように、操作デバイス１１１５の操作部を操作して、表示を所望する表示アイテムに対応する少なくとも一つのボックス１４０２〜１４０８を表示アイテム一覧から仮想表示領域１４０１の表示させたい位置に例えばドラッグアンドドロップする。この操作により、表示を所望する表示アイテムの指定と表示レイアウトの設計とを完了することができる。ボックスを仮想表示領域１４０１から表示アイテム一覧に戻すことで、表示指定が解除される。全解除は、「クリア」ボタン１４０９のクリックによりなされる。「ＯＫ」ボタン１４１０をクリックすることで、設計されたレイアウトで表示アイテムがディスプレイ制御部１２０５によりガントリマウントディスプレイ１２０１に表示される。
【００４２】
以上のように、本実施例によると、ガントリマウントディスプレイ１２０１には常に最新の心拍インデックスや心電図等の心電情報が表示されるので、操作者は心電計それ自体の動作状態や被検体に関する現在の心拍動の状態をしかも客観的に把握することができ、それによりスキャントリガボタンを押すタイミングを好適に計ることができる。
【００４３】
（第３実施例）  
以下、図面を参照して本発明による医用撮影装置の実施例を説明する。なお、医用撮影装置には、Ｘ線診断装置、Ｘ線コンピュータ断層撮影装置（Ｘ線ＣＴ装置）、磁気共鳴映像装置（ＭＲＩ）、超音波診断装置、ガンマカメラ等の被検体に関する画像を発生する各種装置が含まれ、本発明はそれらいずれの装置にも適用可能である。ここでは、医用撮影装置として、Ｘ線コンピュータ断層撮影装置を例に説明する。また、Ｘ線コンピュータ断層撮影装置には、Ｘ線管と放射線検出器とが１体として被検体の周囲を回転する回転／回転（ROTATE/ROTATE）タイプと、リング状に多数の検出素子がアレイされ、Ｘ線管のみが被検体の周囲を回転する固定／回転（STATIONARY/ROTATE）タイプ等様々なタイプがあり、いずれのタイプでも本発明を適用可能である。ここでは、現在、主流を占めている回転／回転タイプとして説明する。また、１スライスの断層像データを再構成するには、被検体の周囲１周、約３６０°分の投影データが、またハーフスキャン法でも１８０°＋ビュー角分の投影データが必要とされる。いずれの再構成方式にも本発明を適用可能である。また、入射Ｘ線を電荷に変換するメカニズムは、シンチレータ等の蛍光体でＸ線を光に変換し更にその光をフォトダイオード等の光電変換素子で電荷に変換する間接変換形と、Ｘ線による半導体内の電子正孔対の生成及びその電極への移動すなわち光導電現象を利用した直接変換形とが主流である。Ｘ線検出素子としては、それらのいずれの方式を採用してもよいが、ここでは、前者の間接変換形として説明する。また、近年では、Ｘ線管とＸ線検出器との複数のペアを回転リングに搭載したいわゆる多管球型のＸ線ＣＴ装置の製品化が進み、その周辺技術の開発が進んでいる。本発明では、従来からの一管球型のＸ線ＣＴ装置であっても、多管球型のＸ線ＣＴ装置であってもいずれにも適用可能である。ここでは、一管球型として説明する。
【００４４】
図１６に、本実施例に係るＸ線コンピュータ断層撮影装置の主要部の構成を示している。本実施例のＸ線コンピュータ断層撮影装置は、ガントリ２１００を有する。ガントリ２１００は、円環状の回転フレーム２１０２を有する。回転フレーム２１０２は、回転駆動部２１０７により駆動され回転軸ＲＡを中心に回転する。この回転フレーム２１０２には、Ｘ線管２１０１とＸ線検出器２１０３とが対向に搭載されている。Ｘ線管２１０１は、高電圧発生装置２１０９からスリップリング２１０８を経由して管電圧の印加及びフィラメント電流の供給を受け、Ｘ線を発生する。Ｘ線検出器２１０３は、被検体を透過したＸ線を検出し、入射Ｘ線の線量を反映した電気信号を出力する。Ｘ線検出器２１０３から出力される信号（純生データと呼ばれる）は、データ収集回路２１０４、非接触データ伝送装置２１０５を経由して前処理装置２１０６に供給される。前処理装置２１０６で、感度補正、対数変換等の処理を受けたデータ（投影データ又は生データと呼ばれる）は、データ記憶装置２１１２に記憶される。ガントリ２１００には、又はそれと分離して心電計２２０３、呼吸計２２０４が設けられる。
【００４５】
ガントリマウントディスプレイ２２０１は、ガントリ２１００又はその近傍に配置される。具体的には、図１７に示すように、ガントリ２１００のハウジング表面であって、Ｘ線障害物にならず、かつ開口部２２０３に挿入された被検体から視認できる場所、典型的には開口部２２０３の周囲のすり鉢状に傾斜する部分に、液晶パネル等によるガントリマウントディスプレイ２２０１が配置される。図１８に示すように、ガントリマウントディスプレイ２２０１は、ガントリ２１００から自由多関節アーム２２２１を介して保持されてもよい。ガントリスピーカ部２２０２は、ガントリ２１００又はその近傍に配置され、具体的にはガントリ２１００のハウジング表面であって、Ｘ線障害物にならず、かつ開口部２２０３に挿入された被検体から聴覚しやすい場所、典型的には開口部２２０３の周囲のすり鉢状に傾斜する部分に配置される。
【００４６】
スキャンコントローラ２１１０は、データ収集（スキャン）のために、回転駆動部２１０７、高電圧発生装置２１０９等の各動作を制御する。再構成装置２１１４は、データ記憶装置２１１２に記憶された投影データに基づいて断層像データを再構成する。表示装置２１１６は、例えば断層像データを表示するために設けられる。操作デバイス２１１５は、操作者の指示を入力するためにキーボード、マウス等から構成される。
【００４７】
表示／スピーカ制御部２２０５は、ガントリマウントディスプレイ２２０１の表示及びガントリスピーカ部２２０２のオーディオ出力（音声出力）を制御する。本実施例では、ガントリマウントディスプレイ２２０１の表示及びガントリスピーカ部２２０２のオーディオ出力について特徴的である。
【００４８】
オーディオアイテム記憶部２２１３には、検査の進捗状況に従って順番付けされた被検体への音声指示に関する複数のオーディオファイル（音声ファイル）が記憶されている。予め、検査やスキャンの進捗状況を表す複数の検査ステージ各々に対してオーディオファイルが関連付けらている。例えば、息止め撮影に際して再生される「息を止めてください」とのオーディオファイル等が用意される。また、オーディオアイテム記憶部２２１３には、検査等の指示とは無関係のリラックス効果を有する音楽（環境音楽、ヒーリングミュージック等）、朗読や柔らかな語りかけ等の音声に関する複数のオーディオファイルが記憶される。これらリラックス効果を有する音楽等のオーディオファイルは、息止め終了後のリラックス期間や、スキャンとスキャンとの間の休止期間に関連付けられている。
【００４９】
表示／スピーカ制御部２２０５は、スキャンコントローラ２１１０からの検査ステージを表す制御信号に従ってオーディオアイテム記憶部２２１３からオーディオファイルを選択的に読み出して、スピーカ部２０２から再生する。
【００５０】
表示アイテム記憶部２２１２には、静止画又は動画に関する複数の画像ファイルが記憶される。少なくとも一つ又は複数の画像ファイルが、オーディオアイテム記憶部２２１３に記憶されているオーディオファイル各々に対して関連付けられている。表示／スピーカ制御部２２０５は、スキャンコントローラ２１１０からの検査ステージを表す制御信号に従ってオーディオアイテム記憶部２２１３から読み出され、再生されるオーディオファイルに対して関連付けられている少なくとも一つの画像ファイルを、表示アイテム記憶部２２１２から読み出して、ガントリマウントディスプレイ２２０１に表示させる。画像ファイルには、年齢と性別とが関連付けられていても良い。この場合、年齢と性別に応じた好適な絵柄の画像ファイルを同種類の画像ファイルから選択的に表示することができる。例えば、図２０に例示するように、幼児向けの画像を表示することができる。
【００５１】
管理者は操作デバイス２１１５を介してオーディオアイテム記憶部２２１２に新たにオーディオファイルを記憶させることや、不要なオーディオファイルを削除すること、さらに検査ステージに対する関連付けを変更する等の様々な更新操作を行うことができる。同様に、管理者は操作デバイス２１１５を介して画像アイテム記憶部２２１３に新たに画像ファイルを記憶させることや、不要な画像ファイルを削除すること、さらにオーディオファイルに対する関連付けを変更する等の様々な更新操作を行うことができる。これら更新操作に従って記憶部２２１２、２２１３が図示しない記憶管理部により更新される。
【００５２】
画像ファイルには、被検体への音声指示、スキャンの進捗状況、検査進捗状況等を文字メッセージで表現した文字メッセージファイル（図２１、図２２、図２４、図２６、図２８、図２９、図３８、図３９、図４１）が含まれる。例えば、息止め開始までの時間、息止め終了までの残り時間、息止め終了の指示、スキャン開始までの時間、スキャン中などの現況、スキャン終了までの残り時間等が用意される。音声指示を聞き逃した場合や音声では理解しにくい場合であっても、視覚で指示を認識し、また現在の指示内容を逐次視認することができる。
【００５３】
また、画像ファイルには、音声や文字による指示等の内容を絵柄で補足するための絵柄メッセージファイル（図２３、図２５、図２７、図３０、図３１、図４０、図４２）が含まれる。例えば、絵柄メッセージファイルには、息を大きく吸っている様子を絵柄で表したものや、息を止めている様子を絵柄で表したものがある。また、息止めの全体時間に対する息止めの残り時間の割合を図形、典型的にはバーグラフで表すもの（図２７）、検査時間に対する残り時間の割合を図形、典型的にはバーグラフで表すもの（図３０）、検査のタイムスケジュールを現在時点とともに図形、典型的にはバーグラフで表すもの（図３１）、Ｘ線管が回転している様子を模式的に動画で表現したもの（図４０）、スキャンの全体時間に対する残り時間の割合を図形、典型的にはバーグラフで表すもの（図４２）、スキャンと次のスキャンとの間の休止時間に対する次のスキャンまでの残りの休止時間の割合を図形、典型的にはバーグラフで表現するもの等がある。
【００５４】
図４３も同様に息止めの指示画像（ガイダンス画像）の例を示している。図４３（ａ）は大きく息を吸う初期状態の女性の実写画像を示している。図４３（ｂ）は吸気を維持する状態の女性の実写画像を示している。図４３（ｃ）Ｃは息止め開示時の状態の女性の実写画像を示している。図４３（ｄ）は息止め完了して吐気状態の女性の実写画像を示している。これら実写画像とともに、吸気と息止めと吐気の各状態を模式的に示したフェイスマークが表示される。また息止めの残り時間が「１０秒超」、「１０秒以下」、「５秒以下」の３段階で表示される。
【００５５】
図４４は、検査の進捗状況を示す画像の例を示している。この例では、被検体が天板スライドによりガントリに足から挿入される状況と、被検体が両腕を頭部側に挙げた挿入姿勢とを示している。
【００５６】
さらに、画像ファイルには、例えば検査指示とは無関係のリラックス効果を有する映像ファイルとして、予め用意された風景などの環境映像（図３２、図３３）が含まれる。また、画像ファイルには、検査中に体動を抑えて安静にさせるために特に幼児や児童を対象にしたアニメーション（図３４）、事前に撮影した又はＴＶカメラ２２１０によるライブによる母親の映像（図３５）がある。さらに、被検体が自ら持参したメモリデバイス２２０９に記憶されている被検体がお気に入りの映像を再生するようにしても良い。
【００５７】
上述のように表示／スピーカ制御部２２０５の制御のもとで検査ステージに従ってオーディオファイルが再生され、画像ファイルが表示されるオートモードを解除して、操作デバイス２１１５を介して操作者がオーディオや画像のソースを入力インターフェース２２０７及び接続端子２２０８を介して接続されたメモリデバイス２２０９、ＴＶカメラ２２１０、マイクロホン２２１１を選択することができる。例えば図３７に例示する選択画面をディスプレイ２２０１に表示し、被検体からリラックス時のオーディオや映像を検査開始前に選択指示を受けることができる。
【００５８】
接続端子２０８は汎用規格であり、被検体が自分のメモリデバイス２２０９にお気に入りの音楽や映像を確認で、病院に持参し、それを再生することができる。また撮影室に隣接した操作室に設置したＴＶカメラ２２１０やマイクロホン２２１１をソースとして選択することで、例えば幼児や乳児等に対して母親の映像を見せ、母親から自身の音声で各種指示を出すことができる。
【００５９】
図１９、図２０には、息止め時のガントリマウントディスプレイ２２０１の画面例を示している。息止め検査開始に際して、「息を止めてください」とのオーディオファイルが再生され、そのオーディオファイルに関連付けられている複数の画像ファイルＢ−１，Ｂ−２，Ｂ−３，Ｂ−４が表示される。映像としては例えば図２０に示すように幼児を対象とした息止めの指示に対応する映像Ｂ−５が表示される。
【００６０】
なお、このディスプレイ２２０１の画面を、被検体を対象とした表示領域Ｂと、操作者（撮影技師）を対象とした領域Ａ、被検体と操作者との両方を対象とした領域Ｃに分割することができる。表示領域Ａには、心拍数や心電波形等が表示され、また表示領域Ｃには、患者情報、撮影技師情報、病院案内情報、さらに広告情報が表示され得る。
【００６１】
本実施例により、被検体は検査中の種々のタイミングで自身が取るべき行動を音声だけでなく画像で容易に理解できるので、息止めや静止などの動きを適切に取る事が出来る。更に、表示内容と音声内容を操作者が容易に変更できる事により、使用する施設の特徴に合わせ一層の被検体の理解が実現出来る。また、息止めの残り時間、次のスキャンまでの時間、検査の残り予定時間なども表示できるので被検体が抱く不安を取り除く事が出来る。またリラックスを促進するオーディオや映像を適時に流すことができるので被検体のリラックスを促進して検査の安定化を図ることができる。さらに、オーディオや映像のソースを記憶部２２１２、２２１３以外に、接続端子２２０８に自由に接続したマイクロホン２２１１、ＴＶカメラ２２１０、さらにメモリデバイス２２０９等から指定することができ、個人の嗜好に即して効果的にリラックスを促進することができる。
【００６２】
本実施形態は次のようの変形されることができる。図４５に示すように、ガントリマウントディスプレイ２２０１、ガントリスピーカ部２２０２、表示／スピーカ制御部２２０５、表示アイテム記憶部２２１２及びオーディオアイテム記憶部２２１３は、指定部２２１４及び編集部２２１５とともに、Ｘ線ＣＴ装置とは別体のシステム（ユーザナビゲーションシステム又は呼吸ナビゲーションシステム）３０００を構成する。表示／スピーカ制御部２２０５、表示アイテム記憶部２２１２、オーディオアイテム記憶部２２１３及び編集部２２１５は、ガントリ２１００に収容される。指定部２２１４はガントリ２１００のハウジングに取り付けられ、又はコネクタを介して接続される。
【００６３】
ユーザナビゲーションシステム３０００は、ソケット３００１を介してＸ線ＣＴ装置に接続される。ユーザナビゲーションシステム３０００の表示／スピーカ制御部２２０５は、Ｘ線ＣＴ装置のスキャンコントローラ２１１０からの制御信号を受け、制御信号により特定される画像ファイル及びオーディオファイル（これらを呼吸案内データファイルと総称する）を表示アイテム記憶部２２１２及びオーディオアイテム記憶部２２１３から読み出させて、ガントリマウントディスプレイ２２０１に表示させ、ガントリスピーカ部２２０２からオーディオ出力させる。
【００６４】
指定部２２１４は、Ｘ線コンピュータ断層撮影装置のガントリへの被検体の挿入方向、腕の上げ下げ、造影剤の有無、呼吸方法の種類をユーザが指定するための操作デバイスである。指定部２２１４を介して指定された挿入方向、腕の上げ下げ、造影剤の有無、呼吸方法の種類に従って、呼吸案内データファイルを編集するために、呼吸案内データファイル編集部が設けられている。
【００６５】
図４６には、Ｘ線ＣＴ装置の表示装置２１１６又は操作デバイス２１１５の画面に表示される検査情報画面を示している。この画面には、Ｘ線ＣＴ装置のスキャンコントローラ２１１０からユーザナビシステム３０００に送信される制御信号の情報が表示される。制御信号の情報としては、表示アイテム及びオーディオアイテムを特定する情報としてデータコード、制御信号の発生時刻、制御信号の種類及び表示アイテムやオーディオアイテムの出力の実行結果を表示する等を含む。操作者は制御信号の情報を見て、ガントリマウントディスプレイ２２０１に表示される表示アイテム及びガントリスピーカ部２２０２から出力されるオーディオアイテムを確認することができる。
【図面の簡単な説明】
【００６６】
【図１】図１は、本発明の実施例に係るＸ線コンピュータ断層撮影装置の構成を示す図である。
【図２】図２は、図１のガントリマウントディスプレイのガントリへの取り付け位置を示す図である。
【図３】図３は、図１のガントリマウントディスプレイのガントリへの取り付けの他の例を示す図である。
【図４】図４は、図１の呼吸検出器により検出される呼吸波形の例を示す図である。
【図５】図５は、図１の規則的呼吸波形発生部による規則的呼吸波形を発生する第１の方法を示す図である。
【図６】図６は、図１の規則的呼吸波形発生部による規則的呼吸波形を発生する第２の方法を示す図である。
【図７】図７は、図１の規則的呼吸波形発生部による規則的呼吸波形を発生する第３の方法を示す図である。
【図８】図８は、図１のガントリマウントディスプレイの表示例を示す図である。
【図９】図９は本発明の実施例に係るＸ線コンピュータ断層撮影装置の構成を示す図である。
【図１０】図１０は図９のガントリマウントディスプレイのガントリへの取り付け位置を示す図である。
【図１１】図１１は図９のガントリマウントディスプレイのガントリへの取り付けの他の例を示す図である。
【図１２】図１２は図９のガントリマウントディスプレイの表示例を示す図である。
【図１３】図１３は図９の表示レイアウト支援部が提供する表示項目指定画面例を示す図である。
【図１４】図１４は図９の表示レイアウト支援部が提供する表示レイアウト設計画面例を示す図である。
【図１５】図１５は図１４の表示レイアウト設計画面上での操作例を示す図である。
【図１６】図１６は本発明の実施例に係るＸ線コンピュータ断層撮影装置の構成を示す図である。
【図１７】図１７は図１６のガントリ及びそれに装備されたディスプレイの一例を示す図である。
【図１８】図１８は図１６のガントリ及びそれに装備されたディスプレイの他の例を示す図である。
【図１９】図１９は図１６の表示画面構成部で構成されるガントリマウントディスプレイの表示画面の一例を示す図である。
【図２０】図２０は図１６の表示画面構成部で構成されるガントリマウントディスプレイの表示画面の他の例を示す図である。
【図２１】図２１は図１６の表示アイテム記憶部に記憶される表示アイテムの一例を示す図である。
【図２２】図２２は図１６の表示アイテム記憶部に記憶される表示アイテムの一例を示す図である。
【図２３】図２３は図１６の表示アイテム記憶部に記憶される表示アイテムの一例を示す図である。
【図２４】図２４は図１６の表示アイテム記憶部に記憶される表示アイテムの一例を示す図である。
【図２５】図２５は図１６の表示アイテム記憶部に記憶される表示アイテムの一例を示す図である。
【図２６】図２６は図１６の表示アイテム記憶部に記憶される表示アイテムの一例を示す図である。
【図２７】図２７は図１６の表示アイテム記憶部に記憶される表示アイテムの一例を示す図である。
【図２８】図２８は図１６の表示アイテム記憶部に記憶される表示アイテムの一例を示す図である。
【図２９】図２９は図１６の表示アイテム記憶部に記憶される表示アイテムの一例を示す図である。
【図３０】図３０は図１６の表示アイテム記憶部に記憶される表示アイテムの一例を示す図である。
【図３１】図３１は図１６の表示アイテム記憶部に記憶される表示アイテムの一例を示す図である。
【図３２】図３２は図１６の表示アイテム記憶部に記憶される表示アイテムの一例を示す図である。
【図３３】図３３は図１６の表示アイテム記憶部に記憶される表示アイテムの一例を示す図である。
【図３４】図３４は図１６の表示アイテム記憶部に記憶される表示アイテムの一例を示す図である。
【図３５】図３５は図１６の表示アイテム記憶部に記憶される表示アイテムの一例を示す図である。
【図３６】図３６は図１６の表示アイテム記憶部に記憶される表示アイテムの一例を示す図である。
【図３７】図３７は図１６の表示アイテム記憶部に記憶される表示アイテムの一例を示す図である。
【図３８】図３８は図１６の表示アイテム記憶部に記憶される表示アイテムの一例を示す図である。
【図３９】図３９は図１６の表示アイテム記憶部に記憶される表示アイテムの一例を示す図である。
【図４０】図４０は図１６の表示アイテム記憶部に記憶される表示アイテムの一例を示す図である。
【図４１】図４１は図１６の表示アイテム記憶部に記憶される表示アイテムの一例を示す図である。
【図４２】図４２は図１６の表示アイテム記憶部に記憶される表示アイテムの一例を示す図である。
【図４３】図４３は息止めの指示画像（ガイダンス画像）の例を示している。
【図４４】図４４は、検査の進捗状況を示す画像の例を示している。
【図４５】図４５は、変形例としてのユーザナビシステムをＸ線ＣＴ装置とともに示している。
【図４６】図４６は、図４５のＸ線ＣＴ装置の表示装置又は操作デバイスの画面に表示される検査情報画面の例を示している。
【符号の説明】
【００６７】
１００…ガントリ、１０２…回転フレーム、１０７…回転駆動部、１０１…Ｘ線管、１０３…Ｘ線検出器、１０９…高電圧発生装置、１０８…スリップリング、１０４…データ収集回路、１０５…非接触データ伝送装置、１０６…前処理装置、１１２…データ記憶装置。
【図１】
2014028317.tif 000003
【図２】
2014028317.tif 000004
【図３】
2014028317.tif 000005
【図４】
2014028317.tif 000006
【図５】
2014028317.tif 000007
【図６】
2014028317.tif 000008
【図７】
2014028317.tif 000009
【図８】
2014028317.tif 000010
【図９】
2014028317.tif 000011
【図１０】
2014028317.tif 000012
【図１１】
2014028317.tif 000013
【図１２】
2014028317.tif 000014
【図１３】
2014028317.tif 000015
【図１４】
2014028317.tif 000016
【図１５】
2014028317.tif 000017
【図１６】
2014028317.tif 000018
【図１７】
2014028317.tif 000019
【図１８】
2014028317.tif 000020
【図１９】
2014028317.tif 000021
【図２０】
2014028317.tif 000022
【図２１】
2014028317.tif 000023
【図２２】
2014028317.tif 000024
【図２３】
2014028317.tif 000025
【図２４】
2014028317.tif 000026
【図２５】
2014028317.tif 000027
【図２６】
2014028317.tif 000028
【図２７】
2014028317.tif 000029
【図２８】
2014028317.tif 000030
【図２９】
2014028317.tif 000031
【図３０】
2014028317.tif 000032
【図３１】
2014028317.tif 000033
【図３２】
2014028317.tif 000034
【図３３】
2014028317.tif 000035
【図３４】
2014028317.tif 000036
【図３５】
2014028317.tif 000037
【図３６】
2014028317.tif 000038
【図３７】
2014028317.tif 000039
【図３８】
2014028317.tif 000040
【図３９】
2014028317.tif 000041
【図４０】
2014028317.tif 000042
【図４１】
2014028317.tif 000043
【図４２】
2014028317.tif 000044
【図４３】
2014028317.tif 000045
【図４４】
2014028317.tif 000046
【図４５】
2014028317.tif 000047
【図４６】
2014028317.tif 000048